(57)【特許請求の範囲】
【請求項１】
隣接する２つの建物の各躯体が空隙をあけて相互に対向し、各躯体の近接および離反する左右方向、前記左右方向に垂直な前後方向および上下方向の相対変位を許容しかつ各躯体間の空隙を下方から塞いだ状態に維持する天井用伸縮カバー装置であって、
一端部が一方の躯体に前記前後方向に平行な回動軸線まわりに回動可能に保持され、他端部が他方の躯体の下面に当接する断面が凹状のカバー体と、
一方の躯体に固定され、前記カバー体の一端部を前記回動軸線まわりに回動可能に支持する支持部と、カバー体の一端部が前記支持部によって支持された状態で前記他端部が下方へ変位する方向へのカバー体の回動を阻止する当接部とが設けられる縁材とを含み、
前記他方の躯体には、左右方向に延びる第１案内部材が固定され、
前記カバー体には、そのカバー体内に収容された状態で、第１案内部材に左右方向に沿って移動可能に係合する第２案内部材が固定され、
前記縁材の支持部は、カバー体の一端部を前記回動軸線まわりに回動可能にかつ回動軸線に沿って移動可能に支持することを特徴とする天井用伸縮カバー装置。
【請求項２】
前記前後方向に隣接して複数のカバー体が配置され、各カバー体の前後方向に対向する各端部は、各端部にわたって水密に装着される補助カバー体によって接続されることを特徴とする請求項１記載の天井用伸縮カバー装置。
【発明の詳細な説明】
【技術分野】
【０００１】
本発明は、隣接する２つの建物の各躯体の相対変位を許容し、各躯体間の目地などの空隙から落下する漏水を収容して回収するために好適に実施することができる天井用伸縮カバー装置に関する。
【背景技術】
【０００２】
隣接する２つの建物の各躯体間には、目地として空隙が存在する。各躯体は、急激な地震などによって、相互に近接する左右方向、この左右方向に垂直な前後方向、および上下方向に相対変位するため、前記相対変位を許容することができるとともに、空隙を介して水などの液体が各躯体の下方へ漏洩することを防止するために、各躯体間には排水装置が設けられる。
【０００３】
このような排水装置の従来の技術は、特許文献１に記載されている。この従来の技術では、空隙である隙間を隔てて対向する第１および第２の躯体間に形成された排水構造において、第１の躯体に前記隙間に沿って排水溝が形成され、この隙間および排水溝を覆うグレーチングが各躯体間にわたって載置され、第２の躯体には、グレーチングの下を第１の躯体側に向かって次第に低くなるように傾斜して前記排水溝の上方まで延び、第１の躯体に摺動自在に支持される傾斜板部を有する水切り材が設けられる。
【０００４】
このような排水装置によれば、グレーチングを通って落下してきた雨水などの排水は、排水溝内に直接落下し、または水切り材の傾斜板部上に落下して傾斜板部上を流れて排水溝内へ導かれる。また、各躯体間の相対変位は、傾斜板部が第１の躯体に摺動自在に支持されているため、水切り材の第１の躯体に対する相対変位が許容される。
【０００５】
このようにして、この従来の技術では、簡単な構成で、各躯体間の相対変位を許容することができるとともに、グレーチングから排水溝内へ直接落下する排水と、傾斜板部上へ落下する排水とを排水溝内へ集水することができる排水装置が提案されている。
【０００６】
また、他の従来の技術は、特許文献２に記載されている。この従来の技術では、家屋の屋根パネル側面より屋外側へ向けて張出し材を突出させ、張出し材の先端に手摺りパネルの下部を固定して手摺りパネルをベランダ床の側方に立設させ、手摺りパネルの屋内面下部に水切板を設けるとともに、水切板の上から手摺りパネルに略Ｌ字状の樋支持具を取付け、手摺りパネルに沿って樋支持具に凹状の樋を取着し、屋根パネル上面の縁から樋内へ向けて水返し板を設け、張出し材の前記樋の下方に突出する部分が筒状の水切カバーによって覆われた排水装置が提案されている。
【０００７】
【特許文献１】特開平８−１８９１５５号公報
【特許文献２】実開昭５９−１８２５４１号公報
【発明の開示】
【発明が解決しようとする課題】
【０００８】
特許文献１の従来の技術では、各躯体が建物の上層空間と下層空間とを仕切るスラブであるとき、各躯体の上層空間に臨む各上面は、グレーチングによって水平に連続した床面を形成するが、各躯体の下層空間に臨む各下面の間には、通行者が下から容易に認識することができる開口が生じ、意匠上の美観が低下するとともに、排水装置の水密性が低下すると、開口から漏水が下層空間へ落下し、床などを汚損してしまうという問題がある。
【０００９】
また、特許文献２の従来の技術では、樋内には雨水などの漏水が直接または水返し板によって導かれて排水されるが、前記樋は樋支持具によって手摺りパネルに連結され、この手摺りパネルは張出し材に連結され、張出し材は家屋の屋根パネル側面に突出して設けられ、建物の上層空間と下層空間とを仕切るスラブである各躯体に対しては、前記樋と屋根パネルとが近接および離反する左右方向、左右方向に垂直な前後方向および上下方向の相対変位を許容し、かつ天井面上で開口する空隙を塞ぐことができず、天井用伸縮カバー装置として用いることはできない。
【００１０】
本発明の目的は、各躯体間の相対変位を許容して空隙を塞ぎ、この空隙内で落下する漏水を回収することができる天井用伸縮カバー装置を提供することである。
【課題を解決するための手段】
【００１１】
本発明は、隣接する２つの建物の各躯体が空隙をあけて相互に対向し、各躯体の近接および離反する左右方向、前記左右方向に垂直な前後方向および上下方向の相対変位を許容しかつ各躯体間の空隙を下方から塞いだ状態に維持する天井用伸縮カバー装置であって、
一端部が一方の躯体に前記前後方向に平行な回動軸線まわりに回動可能に保持され、他端部が他方の躯体の下面に当接する断面が凹状のカバー体と、
一方の躯体に固定され、前記カバー体の一端部を前記回動軸線まわりに回動可能に支持する支持部と、カバー体の一端部が前記支持部によって支持された状態で前記他端部が下方へ変位する方向へのカバー体の回動を阻止する当接部とが設けられる縁材とを含み、
前記他方の躯体には、左右方向に延びる第１案内部材が固定され、
前記カバー体には、そのカバー体内に収容された状態で、第１案内部材に左右方向に沿って移動可能に係合する第２案内部材が固定され、
前記縁材の支持部は、カバー体の一端部を前記回動軸線まわりに回動可能にかつ回動軸線に沿って移動可能に支持することを特徴とする天井用伸縮カバー装置である。
【００１２】
本発明に従えば、一方の躯体に縁材が固定される。この縁材は、支持部と当接部とを有し、支持部によって、カバー体の一端部が回動軸線まわりに回動可能に支持され、当接部にカバー体の一端部が当接して、他端部が下方へ変位する方向へのカバー体の回動が阻止される。前記カバー体は、断面が凹状に形成されるので、左右方向の両端部から流れ出すことが防がれ、空隙内で落下する漏水をカバー体内に収容される。このカバー体内に収容された漏水は、たとえばドレン管によって実現される排水用導水設備によって既設の下水管および排水溝などの排水設備に導かれて排水処理される。
【００１３】
前記排水は、各躯体から上方の上部空間が屋外である場合には、主として雨水、散水および結露水などであり、上部空間が屋内である場合には、主としてこぼした水、飲料水および結露水などであり、さらに通行者が落とした硬貨、筆記具などの小物、ごみおよび砂などの固形物をも含み、これらを包括して「漏水」と称する。また、左右方向および前後方向とは、静水面に平行な水平面上で直交する２軸にそれぞれ平行な各方向、ならびに地盤の不等沈下および建物の施工誤差などによる水平に対してわずかに傾斜した方向を含む実質的に水平な方向をいう。
【００１４】
急激な地震が発生すると、各躯体は左右方向、前後方向および上下方向に相対変位する。このような相対変位は、実際には左右方向、前後方向および上下方向の３方向の変位を各方向の変位成分とする合成された３次元変位として生じる場合がほとんどである。したがって前記カバー体は、縁材に対して支持部によって前後方向に平行な回動軸線まわりに回動可能に一端部が支持され、かつ他端部は他方の躯体の下面によって当接することによって、カバー体が縁材とともに一方の躯体に追従し、他方の躯体に対して相対変位しても、他方の躯体に対するカバー体の左右方向、前後方向および上下方向の変位が許容され、カバー体が他方の躯体との干渉によって破壊されることが防がれ、空隙を下から塞いだ状態に維持し、外観上、天井面の連続性が得られ、美観を損なわずに、空隙内で落下した漏水を回収し、空隙から下部空間へ漏水が流れ落ちてしまうことが防がれる。
【００１５】
また、縁材の当接部によってカバー体の他端部が下方へ移動する方向への回動が阻止されるので、カバー体の他端部が他方の躯体の下面から下方に離間する方向にカバー体が傾斜することが阻止される。これによって、カバー体の他端部と他方の躯体の下面との間に隙間が発生せず、各躯体間にわたる天井面の連続性を損なわずに空隙を常に塞いだ状態に維持することができる。
【００１７】
また、他方の躯体に第１案内部材が設けられ、カバー体に第２案内部材が設けられ、これらの第１および第２案内部材が左右方向に沿って移動可能に係合するので、各躯体が空隙を介して左右方向の間隔が大きく、その間隔に対応して各躯体間にわたる広幅のカバー体を採用してカバー体の形態が大きくなっても、縁材の支持部に過度に大きな荷重を負担させず、各躯体間の左右方向の間隔が大きくなっても、確実にカバー体によって空隙を塞ぎかつ空隙内の漏水をカバー体内に収容することができる。なお、このカバー体内に収容された漏水は、前述と同様に、たとえばドレン管または排水パイプによって実現される排水用導水設備によって既設の下水管および排水溝などの排水設備に導かれて排出される。
【００１８】
縁材の支持部に対してカバー体の一端部が回動軸線に沿って移動可能であるので、各躯体間の前後方向の相対変位を許容することができ、カバー体の自重および収容した漏水の重量によるカバー体の撓みおよび各躯体間の上下方向の相対変位を許容することができ、これによってカバー体に過大な曲げ荷重が作用することを緩和し、カバー体の変形および破損が防止される。
【００１９】
さらに本発明は、前記前後方向に隣接して複数のカバー体が配置され、各カバー体の前後方向に対向する各端部は、各端部にわたって水密に装着される補助カバー体によって接続されることを特徴とする。
【００２０】
本発明に従えば、複数のカバー体が補助カバー体によって水密に連結されるので、天井用伸縮カバー装置の構成を大きく変えずに簡単な構成で、前後方向に長い区間にわたって延びる空隙を塞ぎ、各躯体間にわたる天井面の連続性を維持して、各躯体の左右方向、前後方向および上下方向の相対変位を許容することができる。
【発明の効果】
【００２１】
本発明によれば、急激な地震の発生によって各躯体が左右方向、前後方向および上下方向に相対変位しても、カバー体は一端部が縁材によって回動可能に支持され、かつ他端部は他方の躯体の下面に当接するので、カバー体が縁材とともに一方の躯体に追従し、他方の躯体に対して相対変位しても、他方の躯体に対するカバー体の左右方向、前後方向および上下方向の変位が許容され、空隙を下から塞いだ状態に維持して、外観上、天井面の連続性が得られ、美観を損なわずに、空隙内で落下した漏水を回収し、空隙から各躯体の下方の下部空間へ漏水が流れ落ちてしまうことが防がれる。また、縁材の当接部によってカバー体の他端部が下方へ移動する方向への回動が阻止されるので、カバー体が自重または収容した漏水の重みによって傾くこと防がれ、カバー体の他端部と他方の躯体の下面との間の隙間の発生を防ぎ、各躯体間にわたる天井面の連続性を損なわずに空隙を常に塞いだ状態に維持することができる。
【００２２】
また、他方の躯体に第１案内部材が設けられ、カバー体に第２案内部材が設けられ、これらの第１および第２案内部材が左右方向に沿って移動可能に係合するので、各躯体が空隙を介して左右方向の間隔が大きく、その間隔に対応して各躯体間にわたる広幅のカバー体を採用してカバー体の形態が大きくなっても、縁材の支持部に過度に大きな荷重を作用させず、またカバー体を躯体に当接させて、前後方向の変位に追従することができる。したがって各躯体間の左右方向の間隔が大きくなっても、確実にカバー体によって空隙を塞ぎかつ空隙内の漏水をカバー体内に収容することができる。なお、このカバー体内に収容された漏水は、前述と同様に、たとえばドレン管または排水パイプによって実現される排水用導水設備によって既設の下水管および排水溝などの排水設備に導かれて排出される。
【００２３】
縁材の支持部に対してカバー体の一端部が回動軸線に沿って移動可能であるので、各躯体間の前後方向の相対変位を許容することができ、カバー体の自重および収容した漏水の重量によるカバー体の撓みおよび各躯体間の上下方向の相対変位を許容することができ、これによってカバー体に過大な曲げ荷重が作用することを緩和し、カバー体の変形および破損が防止される。
【００２４】
さらに本発明によれば、複数のカバー体が補助カバー体によって水密に連結されるので、天井用伸縮カバー装置の構成を大きく変えずに簡単な構成で、前後方向に長い区間にわたって延びる空隙を塞ぎ、各躯体間にわたる天井面の連続性を維持して、各躯体の相対変位を許容することができる。
【発明を実施するための最良の形態】
【００２５】
図１は、本発明の実施の一形態の天井用伸縮カバー装置１の設置状態を示す鉛直断面図である。隣接するコンクリート構造の２つの独立した建物間には、目地として空隙Ｇが存在し、この空隙Ｇをあけて相互に対向する各躯体３ａ，３ｂの各下部対向部４ａ，４ｂには、各躯体３ａ，３ｂが近接および離反する左右方向Ｘ１、前記左右方向Ｘ１に垂直な前後方向Ｘ２および上下方向Ｙの相対変位を許容しかつ各躯体３ａ，３ｂ間の空隙Ｇを下方から塞いだ状態に維持するために、天井用伸縮カバー装置１が設けられる。また、各躯体３ａ，３ｂの上部対向部５ａ，５ｂには、床用伸縮カバー装置６が設けられる。
【００２６】
なお、本発明の実施の形態において、「左右方向Ｘ１」および「前後方向Ｘ２」とは、静水面に平行な水平面上で直交する２方向にそれぞれ平行な各方向、ならびに地盤の不等沈下および建物の施工誤差などによって水平な２方向に対してわずかに傾斜した方向を含む実質的に水平とみなすことができる方向をいう。また「上下方向Ｙ」とは、鉛直方向および地盤の不等沈下および建物の施工誤差などによって鉛直方向に対してわずかに傾斜した方向を含む実質的に鉛直な方向をいう。
【００２７】
前記天井用伸縮カバー装置１は、一端部が一方の躯体３ａに前記前後方向Ｘ２に平行な回動軸線ｍまわりに回動可能に保持され、他端部が他方の躯体３ｂの下面７ｂに下方から当接して支持され、前後方向Ｘ２に沿う長手方向に垂直な断面が凹状のカバー体８と、一方の躯体３ａの下面７ａに固定され、前記カバー体８の一端部を前記回動軸線ｍまわりに回動可能に支持する支持部９、およびカバー体８の一端部が前記支持部９によって支持された状態で前記他端部が下方へ変位する方向へのカバー体８の回動を阻止する当接部１０を有する縁材１１とを含む。
【００２８】
前記カバー体８は、空隙Ｇから落下した漏水を収容して、下部空間１２への漏水の漏洩を防止するとともに、下部空間１２から天井を見たときの天井面の連続性が得られ、外見上の美観を向上するために設けられる。前記漏水は、各躯体３ａ，３ｂから上方の上部空間１３が屋外である場合には、主として雨水、散水および結露水などであり、上部空間１３が屋内である場合には、主としてこぼした水や飲料水および結露水などであり、さらに通行者が落とした硬貨、筆記具などの小物、履物によって持ち込まれた微小なごみおよび砂などの固形物をも含み、これらを包括して「漏水」と称する。
【００２９】
前記天井用伸縮カバー装置１の上方には、各躯体３ａ，３ｂの上部対向部５ａ，５ｂ間にわたって床用伸縮カバー装置６が設けられる。この床用伸縮カバー装置６は、各躯体３ａ，３ｂの各上部対向部５ａ，５ｂに形成された各凹所１４ａ，１４ｂの水平な各取付け面１５ａ，１５ｂにアンカー体１６ａ，１６ｂによってライナープレート１７ａ，１７ｂを敷設した状態でライナープレート１７ａ，１７ｂとともに固定される一対の上部縁材１８ａ，１８ｂと、各上部縁材１８ａ，１８ｂに両端部が支持される上部カバー体１９と、各上部縁材１８ａ，１８ｂにビス２０ａ，２０ｂによってそれぞれ固定され、上部カバー体１９の前記両端部を上方から弾発的に押下して、上部カバー体１９の離脱を防止するとともに、各上部縁材１８ａ，１８ｂを覆う一対の縁材カバー２１ａ，２１ｂと、各凹所１４ａ，１４ｂの各取付け面１５ａ，１５ｂから各立ち上がり面２２ａ，２２ｂにわたって両端部が配置され、これらの両端部が各取付け面１５ａ，１５ｂ上で前記各ライナープレート１７ａ，１７ｂおよび各上部縁材１８ａ，１８ｂとともに前記アンカー体１６ａ，１６ｂによって固定され，各下端部がカバー体８の底板５０に接する位置まで垂下される一対の排水案内シート２３ａ，２３ｂと、両端部が各上部縁材１８ａ，１８ｂに保持され、下方に凸に湾曲して垂下した状態で、前後方向Ｘ２にたとえば１％〜１０％の排水勾配で傾斜して設けられる止水シート２４とを含む。
【００３０】
各上部縁材１８ａ，１８ｂは、平坦状の基部２５ａ，２５ｂと、基部２５ａ，２５ｂの相互に近接する各一端部から直角に立ち上がり、上部カバー体１９の両端部を支持する前壁部２６ａ，２６ｂと、基部２５ａ，２５ｂの各他端部から直角に立ち上がる側壁部２７ａ，２７ｂと、側壁部２７ａ，２７ｂの上端部から前記一端部側へ直角に屈曲して突出し前記ビス２０ａ，２０ｂが螺着されるねじ受け部２８ａ，２８ｂと、基部２５ａ，２５ｂの一端部に形成され、前記止水シート２４の両端部が嵌着される止水シート嵌合部２９ａ，２９ｂと、基部２５ａ，２５ｂの下面から下方に突出し、断面がＬ字状の一対の脚部３０ａ，３０ｂとを有する。前記上部カバー体１９および各縁材カバー２１ａ，２１ｂは、アルミニウム合金の押し出し形材または鋼板の打ち抜き加工材からなる。
【００３１】
各前壁部２６ａ，２６ｂの各上端部には、ポリ塩化ビニルなどの滑り性の良好な軟質合成樹脂からなり、断面が逆Ｕ字状の摺動片３１ａ，３１ｂがそれぞれ装着され、各摺動片３１ａ，３１ｂを介して上部カバー体１９が支持され、これらの摺動片３１ａ，３１ｂによって上部カバー体１９は各上部縁材１８ａ，１８ｂに対して円滑に移動して、各躯体３ａ，３ｂ間の相対変位を許容することができるように構成される。このような各上部縁材１８ａ，１８ｂは、アルミニウム合金の押し出し形材からなり、前記ライナープレート１７ａ，１７ｂとともに図１の紙面に垂直な前後方向Ｘ２を長手方向として、各取付け面１５ａ，１５ｂ上に設置される。
【００３２】
図２は、図１に示される天井用伸縮カバー装置１およびその近傍を示す斜視図であり、図３は図２の切断面線ＩＩＩ−ＩＩＩから見た水平断面図である。前記各躯体３ａ，３ｂは、各建物Ａ，Ｂの各外壁３５ａ，３５ｂからそれぞれ突出して通路または廊下として利用されるスラブであって、各外壁３５ａ，３５ｂに直角に突出して形成される。各躯体３ａ，３ｂの遊端部には、上方に直角に立ち上がる手摺り壁３６ａ，３６ｂが設けられ、前記天井用伸縮カバー装置１は、各手摺り壁３６ａ，３６ｂと各外壁３５ａ，３５ｂとの間でかつ各躯体３ａ，３ｂの各下面７ａ，７ｂ間にわたってほぼ水平に設置される。前記各躯体３ａ，３ｂの各下面７ａ，７ｂは下層階の天井面を構成し、各躯体３ａ，３ｂの各上面３７ａ，３７ｂは上層階の床面を構成する。
【００３３】
天井用伸縮カバー装置１の遊端部には、各手摺り壁３６ａ，３６ｂにわたって天井用伸縮カバー装置１に直角に第１壁用伸縮カバー装置３８が設置される。また天井用伸縮カバー装置１の基端部には、各外壁３５ａ，３５ｂにわたって天井用伸縮カバー装置１に直角に第２壁用伸縮カバー装置３９が設置される。これらの第１および第２壁用伸縮カバー装置３８，３９は、各躯体３ａ，３ｂにそれぞれ固定された各一対の縁材（図示せず）上で各壁カバー体４０，４１を各躯体３ａ，３ｂの左右方向Ｘ１、前後方向Ｘ２および上下方向Ｙの相対変位を許容し、かつ空隙Ｇを外側から覆った状態に保持して、空隙Ｇ内への雨水の浸入を阻止し、外見上の美観を向上することができる。
【００３４】
図４は、天井用伸縮カバー装置１の具体的構成を示す拡大断面図であり、図３の切断面線ＩＶ−ＩＶから見た断面を示す。前記カバー体８は、前述したように断面が凹状であって、平坦な底板５０と、底板５０の一端部に連なって直角に上方に立ち上がる一方の側板５１と、底板５０の他端部に連なって直角に立ち上がる他方の側板５２と、前記一方の側板５１の上端部から前記他方の側板５２に近接する方向に直角に突出して連なる一方の屈曲部５３と、他方の側板５２の上端部から前記他方の側板５１に近接する方向に直角に突出して連なる他方の屈曲部５４と、前記一方の側板５１から外側方（図４の左方）に突出する第１ヒンジ片５５とを含む。
【００３５】
前記第１ヒンジ片５５は、一方の側板５１から前記外側方に突出する連結片５６と、連結片５６の遊端部に一体的に形成される直円柱状のヒンジピン５７とを有する。
【００３６】
このようなカバー体８は、たとえばアルミニウム合金の押し出し形材またはステンレス鋼板の打ち抜き加工材からなり、図４の紙面に垂直な前後方向Ｘ２を長手方向として配置される長尺材である。
【００３７】
前記他方の屈曲部５４にはパッキン６０が装着される。このパッキン６０は、前記他方の屈曲部５４が嵌合する断面が略Ｕ字状の嵌合部６１と、嵌合部６１の第１水平方向Ｘ１の両端部からほぼ直角に立ち上がる一対の舌状部６２とを有する。各舌状部６２は、他方の躯体３ｂの下面７ｂに、下方から弾発的に当接し、他方の躯体３ｂとカバー体８との間の水密性を実現する。このパッキン６０は、たとえばエチレンプロピレンゴム（略称ＥＰＤＭ）からなり、高い耐水性、耐摩耗性および耐候性を有する。
【００３８】
次に、前記縁材１１の具体的構成について説明する。前記縁材１１は、縁材本体７１と縁材カバー７２とによって構成される。前記縁材本体７１は、偏平な板状の基部７３と、基部７３から垂直上方に突出する一対の平行な脚部７４，７５と、基部７３の一端部から上方に突出して一体的に形成される係止爪７６と、基部７３の他端部から上方に突出して一体的に形成されるパッキン嵌合片７７と、基部７３の他端部から下方に突出して一体的に形成される側部７８と、この側部７８の下端部に他方の躯体３ｂ側ないしは空隙Ｇ側に突出して一体的に形成される断面が略Ｃ字状の第２ヒンジ部７９と、前記側部７８の下端部から前記第２ヒンジ片７９とは反対側（図４の左方）に直角に突出して一体的に形成されるねじ受け部８０と、基部７３の他端部から前記基部７３とは反対側（図４の右方）に突出して一体的に形成される断面がＬ字状の前記当接部１０とを有する。
【００３９】
前記第２ヒンジ片７９は、前記第１ヒンジ片５５のヒンジピン５７の外径よりもわずかに大きな内径の直円柱状の一部を成すヒンジピン嵌合孔８１を有し、このヒンジピン嵌合孔８１にヒンジピン５７を嵌合させることによって、第１ヒンジ片５５が第２ヒンジ片７９から離脱することなしに前後方向Ｘ２に平行な回動軸線ｍまわりに回動可能に連結される。これによってカバー体８は、縁材１１に前記回動軸線ｍまわりに回動可能に連結されて保持される。前記第１ヒンジ片５５と第２ヒンジ片７９とは、カバー体８を縁材１１に前後方向Ｘ２に平行な回動軸線ｍまわりに回動可能に連結するヒンジ手段を構成する。
【００４０】
前記当接部１０は、前記基部７３の他端部に平行に連なる水平部分８３と、水平部分８３の前記側部７８に対して最も離れた遊端部から下方に直角に連なり前記側部７８と平行な垂下部分８４と、垂下部分８４の下端部に連なり、下方になるにつれて側部７８から離反する方向に傾斜する傾斜部分８５とによって構成される。
【００４１】
このように当接部１０が構成されることによって、カバー体８が、その他端部が他方の躯体３ｂの下面７ｂから離反する方向に大きく回動したとき、当接部１０の垂下部分８４がカバー体８の一方の屈曲部５３の先端部分によって側壁７８から離反する方向へ押圧されて弾性変形し、さらに押圧されるにつれて、一方の屈曲部５３の当接位置が垂下部分８４の下端から傾斜部分８５に乗り移り、傾斜部分８５上を摺動して、水平部分８３を大きく上方に湾曲させずに前記傾斜部分８５から前記一方の屈曲部５３を離脱させることができる。これによって当接部１０全体が前記基部７３の他端部、すなわち前記パッキン嵌合部７７と側部７８と当接部１０とが交差する剛性の高い交差部から上方へ大きな角度で湾曲して破損してしまうことが防がれ、各躯体３ａ，３ｂ間の上下方向Ｙの大きな相対変位に対して、カバー体８および縁材１１が破損してしまうことが防がれる。
【００４２】
前記パッキン嵌合部７７は、パッキン８７が装着される断面が略Ｃ字状の嵌合部分８８と、嵌合部分８８に一体的に連なり、前記基部７３の他端部から上方に直角に突出して一体的に形成される断面が略Ｔ字状の連結部分８９とを有する。前記パッキン８７は、エチレンプロピレンゴム（略称ＥＰＤＭ）からなり、各躯体３ａ，３ｂの相互に左右方向Ｘ１に対向する各対向壁面９０ａ，９０ｂのうち、一方の躯体３ａの対向壁面９０ａに弾発的に当接して、縁材１１と一方の躯体３ａとの間の水密性を達成している。
【００４３】
前記縁材カバー７２は、断面が大略的にＬ字状であって、前記基部７３および水平部分８３にほぼ平行な上蓋部９１と、上蓋部９１の一端部に上方に直角に屈曲して連なる側壁部９２と、側壁部９２の上端部に直角に屈曲して連なり前記基部７３の一端部に上方から係合する係合部９３と、係合部９３の先端部から下方に突出して一体的に形成される係合爪９４とを有する。
【００４４】
前記縁材カバー７２が縁材本体７１に装着された状態では、前記係合部９３が基部７３の一端部に係合し、縁材カバー７２の係合爪９４が基部７３の係合爪７６よりも他端部側に配置されて、前記係合部９３の基部７３からの離脱が防止される。上蓋部９１はビス９５によってねじ受け部８０に固定される。
【００４５】
このような縁材カバー７２は、アルミニウム合金の押し出し形材または打ち抜き加工材からなり、この縁材カバー７２が前記ビス９５によって縁材本体７１に固定される。また前記縁材本体７１は、アンカー体７０によって一方の躯体３ａの下面７ａ上に固定される。
【００４６】
図５は、天井用伸縮カバー装置１の各躯体３ａ，３ｂ側に配置される一端部付近を示す拡大断面図であり、図３の切断面線Ｖ−Ｖから見た断面を示す。前記カバー体８の各躯体３ａ，３ｂ側に配置される一端部には、第２案内部材としての小口ブロック１００がビス１０１によってシート状シール部材１０２とともに固定される。この小口ブロック１００は、前記ビス１０１が螺着される円筒状のボス部１０３が形成されるブロック部１０４と、ブロック部１０４の一側部の上面から立ち上がる端壁部１０５と、ブロック部１０４の一側部の下面から下方に突出する係止突部１０６とを有する。前記シール部材１０２は、たとえばブチルゴムからなり、小口ブロック１００はカバー体８に水密に取り付けられる。
【００４７】
再び図４をも参照して、他方の躯体３ｂの下面７ｂには、第１案内部材として断面がＬ字状の案内部材１０７が複数（本実施の形態では２）のアンカー体１０８によって固定される。この案内部材１０７は、前記他方の躯体３ｂの下面７ｂに下方から当接する取付け片１０９と、この取付け片１０９の前後方向Ｘ２の一端部から直角に屈曲した案内片１１０とを有する。
【００４８】
取付け片１０９には、前後方向Ｘ２に延びる複数（本実施の形態では２）の長孔１１１が形成される。前記案内片１１０は、取付け片１０９から下方に第１突出量Ｈ１を有する第１案内部１１２と、第１突出量Ｈ１よりも大きい第２突出量Ｈ２を有する第２案内部１１３と、第１突出量Ｈ１から第２突出量Ｈ２に突出量が変化し、第１案内部１１２および第２案内部１１３間に介在される第３案内部１１４とを有する。
【００４９】
前記第１案内部１１２には、下方に臨む下縁部分の前記パッキン６０に臨む角部１１５に、前記パッキン６０に近接するにつれて上方に傾斜する第１案内面１１６が形成され、この第１案内面１１６よりも前記パッキン６０から離反する方向に取付け片１０９と平行、すなわち左右方向Ｘ１と平行に延びる第２案内面１１７が形成される。前記第２案内面１１７は、前記パッキン嵌合部５４の高さ位置よりも上方に退避して形成される。前記第１突出量Ｈ１は、前記取付け片１０９の上面から垂直に前記第２案内面１１７までの距離をいう。
【００５０】
また第２案内部１１３には、下方に臨み、取付け片１０９の上面と平行な第３案内面１２０が、前記パッキン嵌合部５４が形成される高さ位置よりも下方に突出して形成される。前記第２突出量Ｈ２は、前記取付け片１０９の上面から垂直に前記第３案内面１２０までの距離をいう。
【００５１】
さらに前記第３案内部１１４には、前記第１案内部１１２の第２案内面１１７から第２案内部１１３の第３案内面１２０に連なり、第１案内部１１２から第２案内部１１３に向かって下方、すなわち取付け片１０９から下方に向かって離反する方向に傾斜する第４案内面１２１が形成される。
【００５２】
このように、他方の躯体３ｂに固定される案内部材１０７において、案内片１１０は第１〜第３案内部１１２，１１３，１１４を有し、これらの案内部１１２，１１３，１１４には第１〜第４案内面１１６，１１７，１２１，１２０が形成されるので、各躯体３ａ，３ｂが近接する方向に相対変位したとき、第１案内面１１６によって第１案内部１１５がパッキン６０を押圧してパッキン嵌合部５４と他方の躯体３ｂの下面７ｂとの間に挿入され、前記近接する方向に相対変位するにつれて前記パッキン６０は第２案内面１１７に押し下げられた状態を維持したままで案内部材１０７の移動を許容し、さらに第４案内面１２１によってパッキン嵌合部５４がパッキン６０とともに押し下げられ、パッキン６０が第３案内面１２０上に乗り上げた状態となる。
【００５３】
これによって、各躯体３ａ，３ｂ間の左右方向Ｘ１の相対変位において、カバー体８はその他端部が他方の躯体３ｂの下面７ｂから離反する方向に第２突出量Ｈ２に相当する角度だけ前記回動軸線ｍを中心に回動し、カバー体８と他方の躯体３ｂとの衝突が確実に回避される。また各躯体３ａ，３ｂが前述とは逆に、相互に離反する方向に相対変位すると、パッキン６０およびパッキン嵌合部５４は案内部材１０７の第３案内面１２０、第４案内面１２１、第２案内面１１７および第１案内面１１６上をこの順序に摺動しながら案内され、カバー体８は前記回動軸線ｍまわりに前記近接する方向の相対変位時の回動方向とは逆方向に角変位して、元の水平な状態に復帰する。
【００５４】
小口ブロック１００は、前記案内部材１０７に対して、小口ブロック１００の端壁部１０５が案内部材１０７の案内片１１０よりも各躯体３ａ，３ｂ側に配置される。したがって、端壁部１０５および案内片１１０が相互に当接した設置当初の状態から各躯体３ａ，３ｂの前後方向Ｘ２の相対変位において、一方の躯体３ａが他方の躯体３ｂに対して一方側（図５の左方）に変位すると、端壁部１０５が案内片１１０に同方向に当接するため、カバー体８の同方向の変位が案内部材１０７に阻止される。その結果、カバー体８の第１ヒンジ片５５は縁材１１の第２ヒンジ片７９に対して回動軸線ｍに沿って同方向に移動し、前記前後方向Ｘ２の一方側の相対変位が許容される。
【００５５】
また、前記前後方向Ｘ２の相対変位における他方側（図５の右方）に各躯体３ａ，３ｂが相対変位すると、小口ブロック１００の端壁部１０５は案内部材１０７の案内片１１０から離反し、小口ブロック１００が他方の建物Ｂの外壁３５ｂに当接するまでの前後方向Ｘ２に平行な間隔ΔＬの範囲で、前記他方側への相対変位が許容される。このようにして各躯体３ａ，３ｂの前後方向Ｘ２の相対変位を許容することができる。
【００５６】
図６は、図３の切断面線ＶＩ−ＶＩから見た拡大断面図である。前記縁材１１およびカバー体８の前後方向Ｘ２に沿う長手方向一端部は、断面が逆Ｌ字状の端板１３０によって水密に塞がれている。またカバー体８の端板１３０には、前記パッキン６０が前記パッキン嵌合部５４に連なって装着され、このパッキン６０が他方の躯体３ｂの下面７ｂに弾発的に当接して水密性が確保されるとともに、カバー体８内に溜まった漏水を外部に排出するためのＬ字状に屈曲した排水管１３１の一端部が接続され、端板１３０に形成された透孔１３２を介して連通している。カバー体８に溜まった漏水は、前記透孔１３２を経て排水管１３１に導かれ、図示しない排水パイプによって既設排水溝などの排水設備へ導かれて排出処理される。
【００５７】
図７は、カバー体８の継手部１４０を上方から見た平面図であり、図８は図７の切断面線ＶＩＩＩ−ＶＩＩＩから見た断面図である。前記前後方向Ｘ２に隣接する複数のカバー体８が配置され、各カバー体８の前後方向Ｘ２に対向する各端部は相互に当接し、各端部にわたってシート状シール部材１４３によって水密に装着された補助カバー体１４４によって接続される。補助カバー体１４４は、その断面が凹状であり、両側の側壁がビス１４５，１４６によって各カバー体８に固定される。
【００５８】
複数のカバー体８が補助カバー体１４４によって水密に連結されるので、天井用伸縮カバー装置１の構成を大きく変えずに簡単な構成で、前後方向Ｘ２に長い区間にわたって延びる空隙を塞ぎ、各躯体３ａ，３ｂ間にわたる天井面の連続性を維持して、各躯体３ａ，３ｂの左右方向Ｘ１および前後方向Ｘ２ならびに上下方向Ｙの相対変位を許容することができる。また、各躯体３，３ｂの前後方向Ｘ２の幅がそれほど大きくない場合には、前記補助カバー体１４４を用いずに単一のカバー体８だけが用いられてもよい。
【００５９】
以上のように本実施の形態によれば、一方の躯体３ａに縁材１１が固定され、この縁材１１は、支持部９と当接部１０とを有し、支持部９によって、カバー体８の一端部が回動軸線ｍまわりに回動可能に支持され、当接部１０にカバー体８の一端部が当接して、カバー体８の他端部が下方へ変位する方向への回動が阻止される。前記カバー体８は、断面が凹状に形成されるので、左右方向Ｘ１の両端部からカバー体８内の漏水が流れ出すことが防がれ、空隙Ｇ内で落下する漏水をカバー体８内に確実に収容して、排水管１３１から排水することができる。そのため、前記カバー体８は、排水管１３１側の端部が各躯体３ａ，３ｂ側の端部よりも下方に傾斜した排水勾配を有するように設置されてもよく、あるいはカバー体８内に落下する漏水の流量が微小である場合には、水平に設置されてもよい。
【００６０】
急激な地震が発生すると、各躯体３ａ，３ｂは左右方向Ｘ１、前後方向Ｘ２および上下方向Ｙに相対変位する。このような相対変位は、実際には第１および前後方向Ｘ２ならびに上下方向Ｙの３方向の変位を各方向の変位成分とする合成された３次元変位として生じる場合がほとんどである。したがって前記カバー体８は、縁材１１に対して支持部９によって前後方向Ｘ２に平行な回動軸線ｍまわりに回動可能に一端部が支持され、かつ他端部は他方の躯体３ｂの下面によって当接することによって、カバー体８が縁材１１とともに一方の躯体３ａに追従し、他方の躯体３ｂに対して相対変位しても、他方の躯体３ｂに対するカバー体８の左右方向Ｘ１、前後方向Ｘ２および上下方向Ｙの変位が許容され、カバー体８が他方の躯体３ｂとの干渉によって破壊されることが防がれ、空隙を下から塞いだ状態に維持し、外観上、各躯体３ａ，３ｂの下面７ａ，７ｂおよびカバー体８の下面によって実現される天井面の連続性が得られ、美観を損なわずに、空隙内で落下した漏水を回収し、空隙から下部空間１２へ漏水が流れ落ちてしまうことが防がれる。
【００６１】
また、縁材１１の当接部１０によってカバー体８の他端部が下方へ移動する方向への回動が阻止されるので、カバー体８の他端部が他方の躯体３ｂの下面７ｂから下方に離間する方向にカバー体８が傾斜することが阻止される。これによって、カバー体８の他端部と他方の躯体３ｂの下面７ｂとの間に隙間が発生せず、各躯体３ａ，３ｂ間にわたる天井面の連続性を損なわずに空隙Ｇを常に塞いだ状態に維持することができる。
【００６２】
また、他方の躯体３ｂに第１案内部材として案内部材１０７が設けられ、カバー体８に第２案内部材として小口ブロック１００が設けられ、これらの案内部材１０７および小口ブロック１００が左右方向Ｘ１に沿って移動可能でかつ前後方向Ｘ２に係合するので、各躯体３ａ，３ｂが空隙Ｇを介して左右方向Ｘ１の間隔が大きく、その間隔に対応して各躯体３ａ，３ｂ間にわたる広幅のカバー体８を採用してカバー体８の形態が大きくなっても、縁材１１の支持部９に過度に大きな荷重を負担させずに、カバー体８の重量を負荷させることができる。したがって各躯体３ａ，３ｂ間の左右方向Ｘ１の間隔が大きくなっても、確実にカバー体８によって空隙Ｇを塞ぎかつ空隙Ｇ内の漏水をカバー体８内に収容することができる。
【００６３】
本発明の実施の他の形態では、第１および第２案内部材は前述の案内部材１０７および小口ブロック１００に限るものではなく、たとえば偏平な板状体からなる端板を溶接によってカバー体の長手方向両端部を塞ぐように接合するなどの他の形態が採用されてもよい。
【００６４】
さらに、縁材１１の支持部９に対してカバー体８の一端部が第１および第２ヒンジ片５５，７９によって回動軸線ｍに沿って移動可能であるので、各躯体３ａ，３ｂ間の前後方向Ｘ２の相対変位を許容することができ、カバー体８の自重および収容した漏水の重量によるカバー体８の撓みおよび各躯体３ａ，３ｂ間の上下方向Ｙの相対変位を許容することができ、これによってカバー体８に過大な曲げ荷重が作用することを緩和し、カバー体８の変形および破損を防ぐことができる。
【００６５】
さらに、複数のカバー体８が前記補助カバー体１４４によって水密に連結されるので、天井用伸縮カバー装置１の構成を大きく変えずに、簡単な構成で、前後方向Ｘ２に長い区間にわたって延びる空隙Ｇを塞ぎ、各躯体３ａ，３ｂ間にわたる天井面の連続性を維持して、各躯体３ａ，３ｂの第１および前後方向Ｘ２ならびに上下方向Ｙの相対変位を許容することができる。
【００６６】
図９は、本発明の実施の他の形態の天井用伸縮カバー装置１ａを示す鉛直断面図である。なお、前述の実施の形態と対応する部分には同一の参照符を付し、重複する説明は省略する。本実施の他の形態の天井用伸縮カバー装置１ａは、一方の躯体３ａが壁構造体であり、他方の躯体３ｂがスラブである場合に適用される。この天井用伸縮カバー装置１ａにおいて、一方の躯体３ａの鉛直な対向壁面９０ａに、縁材１１ａが固定される。この縁材１１ａもまた、前記縁材１１と同様に、支持部９および当接部１０を有し、第１および第２ヒンジ片５５，７９によってカバー体８の一端部が回動可能に連結される。また、この天井用伸縮カバー装置１ａの上方には、前述の床用伸縮カバー装置６と類似の床用伸縮カバー装置６ａが設置される。この床用伸縮カバー装置６ａの上部縁材１８ａもまた、前述の床用伸縮カバー装置６ａの縁材１１ａと同様に、前記鉛直な一方の対向壁面９０ａに固定される。
【００６７】
このような天井用伸縮カバー装置１ａは、前述の実施の形態の天井用伸縮カバー装置１と同様な効果を達成し、急激な地震による各躯体３ａ，３ｂ間の左右方向Ｘ１、前後方向Ｘ２および上下方向Ｙの相対変位を許容して、カバー体８が他方の躯体３ｂとの干渉によって破壊されることなく、空隙Ｇを下から塞いだ状態に維持し、外観上、天井面の連続性が得られ、美観を損なわずに、空隙Ｇ内で落下した漏水を回収し、空隙Ｇから下部空間１２へ漏水が流れ落ちてしまうことを防止することができる。
【図面の簡単な説明】
【００６８】
【図１】本発明の実施の一形態の天井用伸縮カバー装置１の設置状態を示す鉛直断面図である。
【図２】図１に示される天井用伸縮カバー装置１およびその近傍を示す斜視図である。
【図３】図２の切断面線ＩＩ−ＩＩから見た水平断面図である。
【図４】天井用伸縮カバー装置１の具体的構成を示す拡大断面図であり、図３の切断面線ＩＶ−ＩＶから見た断面を示す。
【図５】天井用伸縮カバー装置１の各躯体３ａ，３ｂ側に配置される一端部付近を示す拡大断面図であり、図３の切断面線Ｖ−Ｖから見た断面を示す。
【図６】図３の切断面線ＶＩ−ＶＩから見た拡大断面図である。
【図７】カバー体８の継手部を上方から見た平面図である。
【図８】図７の切断面線ＶＩＩＩ−ＶＩＩＩから見た断面図である。
【図９】本発明の実施の他の形態の天井用伸縮カバー装置１ａを示す鉛直断面図である。
【符号の説明】
【００６９】
１，１ａ  天井用伸縮カバー装置
３ａ，３ｂ  躯体
４ａ，４ｂ  下部対向部
５ａ，５ｂ  上部対向部
６，６ａ  床用伸縮カバー装置
７ａ  一方の躯体３ａの下面
７ｂ  他方の躯体３ｂの下面
８  カバー体
９  支持部
１０  当接部
１１，１１ａ  縁材
１２  下部空間
１３  上部空間
１６ａ，１６ｂ  アンカー体
１８ａ，１８ｂ  上部縁材
１９  上部カバー体
２０ａ，２０ｂ  ビス
２１ａ，２１ｂ  縁材カバー
２３ａ，２３ｂ  排水案内シート
２４  止水シート
２５ａ，２５ｂ  基部
２６ａ，２６ｂ  前壁部
２７ａ，２７ｂ  側壁部
３５ａ，３５ｂ  外壁
３６ａ，３６ｂ  手摺り壁
３９  第２壁用伸縮カバー装置
４０，４１  壁カバー体
５５  第１ヒンジ片
５６  連結片
５７  ヒンジピン
７０，１０８  アンカー体
７１  縁材本体
７２  縁材カバー
７３  基部
７９  第２ヒンジ部
８３  水平部分
８４  垂下部分
８５  傾斜部分
８８  嵌合部分
８９  連結部分
９０ａ，９０ｂ  対向壁面
９１  上蓋部
９２  側壁部
９３  係合部
９４  係合爪
１００  小口ブロック
１０４  ブロック部
１０５  端壁部
１０６  係止突部
１０７  案内部材
１０９  取付け片
１１０  案内片
１１２  第１案内部
１１３  第２案内部
１１４  第３案内部
１１５  角部
１１６  第１案内面
１１７  第２案内面
１２０  第３案内面
１２１  第４案内面
１３０  端板
１３１  排水管
１３２  透孔
１４０  継手部
１４３  シール部材
１４４  補助カバー体
Ａ，Ｂ  建物
Ｇ  空隙
ｍ  回動軸線
Ｘ１  左右方向
Ｘ２  前後方向
Ｙ  上下方向
【図１】
0004805635.tif 000002
【図２】
0004805635.tif 000003
【図３】
0004805635.tif 000004
【図４】
0004805635.tif 000005
【図５】
0004805635.tif 000006
【図６】
0004805635.tif 000007
【図７】
0004805635.tif 000008
【図８】
0004805635.tif 000009
【図９】
0004805635.tif 000010